(57)【特許請求の範囲】
【請求項１】
瓦本体の中心線の両側に瓦本体を貫通する釘穴を形成するとともに、瓦本体の中心線の両側上面に緊結線を巻き掛けるための複数の緊結用凸部を形成し、これらの緊結用凸部を巻き掛けられた緊結線の脱落を防止するために外側に傾斜させたことを特徴とするのし瓦。
【発明の詳細な説明】
【０００１】
【発明の属する技術分野】
本発明は、棟や壁際などに用いられるのし瓦の改良に関するものである。本明細書においてのし瓦とは、厚のし、笹のし、松川のし、ダイヤのし、雨切りのし、紐のし、輪違いのし、土居のし、その他の化粧のしなどのほか、柄入りいらか、京花木瓜いらかなどをも包含するものとする。
【０００２】
【従来の技術】
棟を造る工法として代表的なのし積み工法によれば、桟瓦の上端を覆うのし瓦を両側から複数層積み上げ、その頂部に冠瓦を載せることにより、棟が造られる。従来はこれらの瓦を葺き土と呼ばれる赤土で固めた棟がほとんどであったが、地震の際に棟が崩れて瓦が落下する事故があったため、最近では各瓦を釘や針金などで下地に緊結する工法に変わっている。
【０００３】
図１は住宅金融公庫の共通仕様書に規定されている棟の構造であり、１は棟木、２は垂木、３は桟瓦、４はのし瓦、５は冠瓦である。のし瓦４には図２に示すような釘穴６が設けられており、図３に示すように各のし瓦４の釘穴６に銅線等の緊結線７を通すことによって、棟の両側ののし瓦４を相互に緊結している。また冠瓦５も１枚ずつ釘打ちするか緊結線８により地棟に固定している。
【０００４】
のし瓦４は左右を一対として用いられるのが普通であるから、通常は図２に示すようにかわら本体１０の裏面中央にＶ溝状の中心線１１を形成しておき、現場においてこの中心線１１から２分割して用いるようになっている。釘穴６は中心線１１の両側に１〜３個程度を設けるのが普通である。なお、緊結線７を通すための穴を釘穴６と呼ぶのは、釘により固定する在来工法に由来するためである。
【０００５】
ところが、のし瓦４は何層にも積み重ねるのが普通であるため、その全てについて図３に示すように釘穴６に銅線等の緊結線７を通して緊結する作業を繰り返すには非常に多くの手数を必要とし、熟練した職人であっても作業能率を上げることは困難であった。そのためのし瓦全数の緊結を怠り勝ちであり、地震の際に緊結不十分の部分が基点となって棟の崩壊を引き起こす可能性が残されていた。
【０００６】
【発明が解決しようとする課題】
本発明は上記した従来の問題点を解決して、一枚ずつの緊結を能率よくしかも確実に行うことができるようにしたのし瓦を提供するためになされたものである。
【０００７】
【課題を解決するための手段】
上記の課題を解決するためになされた本発明ののし瓦は、瓦本体の中心線の両側に瓦本体を貫通する釘穴を形成するとともに、瓦本体の中心線の両側上面に緊結線を巻き掛けるための複数の緊結用凸部を形成し、これらの緊結用凸部を巻き掛けられた緊結線の脱落を防止するために外側に傾斜させたことを特徴とするものである。
【０００８】
本発明ののし瓦は従来と同様に中心線から左右に二分して用いるものであるが、瓦本体の上面に緊結用凸部を形成してあるため、緊結線を左右ののし瓦の緊結用凸部に順次巻き掛けて行くだけで、各のし瓦を簡便かつ確実に緊結することができる。なお釘穴も従来通りに形成しておけば、従来工法にも対応できるうえ、緊結用凸部は瓦本体のプレス成型の際に同時に成型できるから、製造コストが高くなることもない。
【０００９】
【発明の実施の形態】
以下に図面を参照しつつ本発明の好ましい実施形態を示す。
図４は本発明ののし瓦を示す斜視図であり、１０はかわら本体、１１はその裏面中央に形成されたＶ溝状の中心線である。本発明ののし瓦も従来品と同様にこの中心線１１から左右に分割されて用いられる。かわら本体１０には従来と同様に中心線１１の両側に釘穴６を形成しておくことが好ましい。図４では釘穴６は３×２列に配置されているが、その数は任意である。釘穴６は当然ながらかわら本体１０を貫通している。
【００１０】
かわら本体１０の上面には、複数の緊結用凸部１２が形成されている。緊結用凸部１２は中心線１１の両側に列状に形成されたもので、この実施形態では釘穴６と同様に３×２列に配置されているが、その数は任意である。図５に示すように、緊結用凸部１２は緊結線の脱落を防止するために緊結用凸部１２の全体を外側に傾斜させたものとする。
【００１１】
このような緊結用凸部１２はかわら本体１０をプレス成形する金型に加工を施すことにより、容易に一体成形することができる。このため本発明ののし瓦の製造コストは従来品とほとんど変わらない。
【００１２】
緊結用凸部１２の直径は５〜１０ｍｍ、高さも１０ｍｍ以下とすることが好ましい。この実施形態では直径、高さとも７ｍｍとしたが、サイズはこれに限定されないことは勿論である。しかし直径があまり細いと、緊結時や地震発生時に折損して目的を達成できないおそれがある。また高さが低過ぎると緊結しにくく、高過ぎたり直径が太過ぎると施工の邪魔になったり、瓦本体１０の焼成歪みを招いたりするおそれがある。
【００１３】
図６に示すように、緊結用凸部１２は釘穴６と同一直線上に配置しても、釘穴６よりも外側位置に配置してもよい。図６では緊結用凸部１２は直線上に配置されているが、必ずしも一直線上に配置する必要はない。
【００１４】
このように構成された本発明ののし瓦は、従来と同様に中心線１１から左右に分割して棟の両側に複数層積み上げられるものであるが、図７に示すように銅線等の緊結線７を上面の緊結用凸部１２に何回か巻き掛けることによって、両側ののし瓦を容易に緊結することができる。この作業は、従来のように釘穴６に緊結線７を通しながら固定する作業に比べてはるかに容易であり、複数層の積み上げを行なう場合にも各層毎に簡便に緊結することができる。なお上記のように緊結線７を各のし瓦の緊結用凸部１２に複数回巻き掛けるのは、万一緊結線７が切れた場合にもその影響が全体に及ぶことを防止するためである。
【００１５】
なお、緊結の方法には様々なバリエーションが考えられる。図８は各のし瓦を1本の緊結線７で緊結した例であるが、緊結線７は両側ののし瓦を最短距離で緊結できるように、棟の中心線に対して垂直に配置されている。この場合にも緊結線７を各のし瓦の緊結用凸部１２に複数回巻き掛けてある。なお、図８の端部ののし瓦は長さが半分として示してある。図９は各のし瓦につき２箇所で緊結を行なった例を示す。図１０と図１１は、両端に孔を持つ緊結用バー１４を用いて両側ののし瓦の緊結を行なった参考例を示す。緊結用バー１４は金属製であっても、樹脂製であってもよい。緊結用バー１４はかわら本体１０の上面の緊結用凸部１２に落とし込むように取付けられるが、図５に示したように、緊結用凸部１２の全体を外側に傾斜させたものとしておけば、いったん嵌め込まれた緊結用バー１４が脱落することはない。
【００１６】
図１２と図１３は棟の中央に別の補強用金具１５を適当なピッチで立て、緊結線７をこの補強用金具１５にも巻き掛けるようにしたものである。前記の例では左右ののし瓦が相互に緊結されているだけであるが、図１２，１３の例では地棟に対しても緊結されることとなるので、地震発生時により確実に棟の崩れを防止することができる。特に図１２のように緊結線７を棟の中心線に対して垂直に配置すれば、緩みの少ない強固な緊結となる。
【００１７】
【発明の効果】
以上に説明したように、本発明ののし瓦は瓦本体の上面に緊結用凸部を形成したものであるから、緊結線を左右ののし瓦の緊結用凸部に順次巻き掛けるだけで、各のし瓦を簡便かつ確実に緊結することができる。このため全数の緊結を確実に行なうことができ、地震の際にも棟の崩壊を引き起こすおそれはない。しかもこの緊結用凸部は瓦本体のプレス成型の際に同時に成型できるから、製造コストは従来品よりも高くなることはない。また地方によって棟の造り方に関する工法の違いがあるが、のし瓦に釘穴も従来通りに形成しておけば、従来工法にもそのまま対応することができる。
【図面の簡単な説明】
【図１】公団共通仕様書に規定されている棟の構造を示す断面図である。
【図２】従来ののし瓦の平面図である。
【図３】従来の緊結法の説明図であり、（Ａ）は断面図、（Ｂ）は平面図である。
【図４】本発明ののし瓦の実施形態を示す斜視図である。
【図５】本発明ののし瓦の実施形態を示す断面図である。
【図６】本発明ののし瓦の実施形態を示す平面図である。
【図７】本発明ののし瓦の緊結法の説明図であり、（Ａ）は断面図、（Ｂ）は平面図である。
【図８】本発明ののし瓦の他の緊結法を示す平面図である。
【図９】本発明ののし瓦の他の緊結法を示す平面図である。
【図１０】参考例の緊結法を示す平面図である。
【図１１】参考例の緊結法を示す平面図である。
【図１２】本発明ののし瓦の他の緊結法を示す平面図である。
【図１３】本発明ののし瓦の他の緊結法を示す平面図である。
【符号の説明】
１  棟木
２  垂木
３  桟瓦
４  従来ののし瓦
５  冠瓦
６  釘穴
７  緊結線
８  緊結線
１０  かわら本体
１１  中心線
１２  緊結用凸部
１３  拡大部
１４  緊結用バー
１５  補強用金具
【図１】
0004793896.tif 000002
【図２】
0004793896.tif 000003
【図３】
0004793896.tif 000004
【図４】
0004793896.tif 000005
【図５】
0004793896.tif 000006
【図６】
0004793896.tif 000007
【図７】
0004793896.tif 000008
【図８】
0004793896.tif 000009
【図９】
0004793896.tif 000010
【図１０】
0004793896.tif 000011
【図１１】
0004793896.tif 000012
【図１２】
0004793896.tif 000013
【図１３】
0004793896.tif 000014